(57)【要約】【課題】操作性を悪化させることなく、情報の通信に掛かる電力消費を最小限に抑える。【解決手段】デジタルカメラ１０で撮影が実行されると、イネーブル信号が送信される。イネーブル信号が受信されると、携帯電話１１では、近距離無線用通信回路６９、ＧＰＳ用通信回路７１、および測位回路７５が起動され、ＧＰＳ用通信回路７１、および測位回路７５により位置データが取得される。位置データの取得後、ＧＰＳ用通信回路７１、および測位回路７５の動作が停止される。デジタルカメラ１０と携帯電話１１との近距離無線通信が確立され、位置データが通信される。位置データの通信後、近距離無線通信が切断され、近距離無線用通信回路４６、６９の動作が停止される。【選択図】図４
2008252212.tif 000002
【特許請求の範囲】
【請求項１】
複数の情報機器間で情報を通信する情報通信システムであって、
前記情報機器は、前記情報を通信する第一通信手段と、
常時、または間欠的に通信が確立されており、前記情報の取得を指示する操作に応じて、前記第一通信手段を起動して通信を確立するためのイネーブル信号を通信する第二通信手段とを有し、
前記第一通信手段は、前記情報の通信後、通信を切断して動作を停止することを特徴とする情報通信システム。
【請求項２】
前記情報機器は、前記第一通信手段の通信が確立されてからの第一経過時間を計時する第一計時手段を有し、
前記第一通信手段は、前記第一経過時間が予め設定された第一閾値を超えた場合、通信を切断して動作を停止することを特徴とする情報通信システム。
【請求項３】
前記イネーブル信号は無線信号であり、前記第二通信手段は、前記無線信号を通信する無線通信手段からなることを特徴とする請求項１または２に記載の情報通信システム。
【請求項４】
前記情報機器は、前記第二通信手段を介して移動体通信網に接続されていることを特徴とする請求項３に記載の情報通信システム。
【請求項５】
前記情報機器は、前記第二通信手段を介して無線ＬＡＮネットワークに接続されていることを特徴とする請求項３または４に記載の情報通信システム。
【請求項６】
前記イネーブル信号は音声信号であり、前記第二通信手段は、前記音声信号を出力する音声出力手段、および前記音声信号を収録する音声収録手段からなることを特徴とする請求項１ないし５のいずれかに記載の情報通信システム。
【請求項７】
前記イネーブル信号はＯＦＤＭ変調されたデータが重畳された音声信号であり、前記第二通信手段は、前記データを前記ＯＦＤＭ変調して前記音声信号に重畳する変調手段、前記音声信号を出力する音声出力手段、前記音声信号を収録する音声収録手段、および前記音声信号から前記データを復調する復調手段からなることを特徴とする請求項１ないし６のいずれかに記載の情報通信システム。
【請求項８】
前記音声収録手段は間欠的に動作しており、
前記音声出力手段は、少なくとも前記音声収録手段が動作を停止している期間よりも長い期間、前記音声信号を出力することを特徴とする請求項６または７に記載の情報通信システム。
【請求項９】
前記情報機器は、前記情報として現在の位置データを取得する位置データ取得手段を有することを特徴とする請求項１ないし８のいずれかに記載の情報通信システム。
【請求項１０】
前記位置データ取得手段は、前記イネーブル信号の通信を契機に起動されることを特徴とする請求項９に記載の情報通信システム。
【請求項１１】
前記位置データ取得手段は、前記位置データの取得後、動作を停止することを特徴とする請求項９または１０に記載の情報通信システム。
【請求項１２】
前記情報機器は、前記情報として画像データを取得する画像データ取得手段を有することを特徴とする請求項１ないし１１のいずれかに記載の情報通信システム。
【請求項１３】
前記画像データ取得手段のシャッタレリーズに伴う操作を、前記イネーブル信号の通信の契機とすることを特徴とする請求項１２に記載の情報通信システム。
【請求項１４】
前記画像データ取得手段のシャッタレリーズに伴う操作音を、前記イネーブル信号として用いることを特徴とする請求項１２または１３に記載の情報通信システム。
【請求項１５】
前記情報として現在の位置データを取得する位置データ取得手段を有する第一の情報機器と、
前記情報として画像データを取得する画像データ取得手段を有する第二の情報機器とを備え、
前記第二の情報機器は、前記第一通信手段を介して、前記第一の情報機器から位置データを取得し、
画像データに位置データが関連付けて記憶される記憶手段を有することを特徴とする請求項１ないし１４のいずれかに記載の情報通信システム。
【請求項１６】
前記第二の情報機器は、位置データが関連付けて記憶されていない当該画像データの位置データを、当該画像データ以外の画像データに関連付けて記憶された位置データを元に付加する位置データ付加手段を有することを特徴とする請求項１５に記載の情報通信システム。
【請求項１７】
前記位置データ付加手段は、当該画像データを取得した日時と前後する日時に取得された当該画像データ以外の画像データに関連付けて記憶された位置データを、当該画像データの位置データとして付加することを特徴とする請求項１６に記載の情報通信システム。
【請求項１８】
前記位置データ付加手段は、当該画像データを取得した日時と前後する日時に取得された当該画像データ以外の画像データに関連付けて記憶された位置データから算出した位置データを、当該画像データの位置データとして付加することを特徴とする請求項１６または１７に記載の情報通信システム。
【請求項１９】
前記位置データ付加手段は、当該画像データを取得した際に、前記第二通信手段で前記イネーブル信号の通信を行っていない場合、前記付加を行わないことを特徴とする請求項１６ないし１８のいずれかに記載の情報通信システム。
【請求項２０】
前記位置データ付加手段は、当該画像データを取得した日時と、その日時と前後する日時に取得された当該画像データ以外の画像データの日時との差分が予め設定された第二閾値以上であった場合、前記付加を行わないことを特徴とする請求項１７ないし１９のいずれかに記載の情報通信システム。
【請求項２１】
前記位置データ付加手段は、当該画像データを取得した日時と前後する日時に取得された当該画像データ以外の画像データを取得した日付が、当該画像データを取得した日付と異なる場合、前記付加を行わないことを特徴とする請求項１７ないし２０のいずれかに記載の情報通信システム。
【請求項２２】
前記記憶手段には、前記位置データ付加手段で位置データを付加した旨を表す識別符号が、当該画像データに関連付けて記憶されることを特徴とする請求項１６ないし２１のいずれかに記載の情報通信システム。
【請求項２３】
前記第二の情報機器は、前記位置データを取得してからの第二経過時間を計時する第二計時手段を有し、
前記第二通信手段は、前記第二経過時間が予め設定された第三閾値以下であった場合、前記イネーブル信号の通信を行わないことを特徴とする請求項１５ないし２２のいずれかに記載の情報通信システム。
【請求項２４】
前記画像データ取得手段は、連写撮影を行う機能を有し、
前記第二通信手段は、前記連写撮影の一枚目のみ前記イネーブル信号の通信を行い、二枚目以降は行わないことを特徴とする請求項１５ないし２３のいずれかに記載の情報通信システム。
【請求項２５】
複数の情報機器間で情報を通信する情報通信方法であって、
前記情報の取得を指示する操作に応じて、常時、または間欠的に通信が確立された第二通信手段を用いて、第一通信手段を起動して通信を確立するためのイネーブル信号を通信するイネーブル信号通信ステップと、
前記第一通信手段を用いて前記情報を通信する情報通信ステップと、
前記情報の通信後、前記第一通信手段の通信を切断して動作を停止する通信切断ステップとを備えることを特徴とする情報通信方法。
【発明の詳細な説明】
【技術分野】
【０００１】
本発明は、情報機器間で情報を通信する情報通信システム、および情報通信方法に関する。
【背景技術】
【０００２】
最近、デジタルカメラや携帯電話などの情報機器の急速な普及に伴い、個々の情報機器で得られた情報を情報機器間で通信する機会が増えてきている。従来、このような情報通信の例として、以下に挙げる技術が提案されている（特許文献１〜４参照）。
【０００３】
特許文献１に記載の発明では、デジタルカメラと携帯電話を有線接続し、デジタルカメラで得られた位置データを携帯電話に送信している。そして、携帯電話でサーバにアクセスし、位置データに基づいた現在地情報およびリクエスト情報を送信し、サーバから現在地に関する情報を取得している。
【０００４】
特許文献２に記載の発明は、携帯電話、ハンディＧＰＳ、およびデジタルカメラの間で、情報として位置データを通信する位置検出システムについて開示している。この位置検出システムでは、自らがアクセスしている基地局の位置を携帯電話で検出し、これにより得られた基地局位置データをハンディＧＰＳに無線送信する。そして、基地局位置データに基づいて、ハンディＧＰＳで詳細な現在位置を示すデータを検出し、検出したデータをデジタルカメラに無線送信している。各機器間の無線通信は、移動体通信網と接続するための電波を発生するアンテナや直交変調回路、および無線通信回路を用いて行っている。
【０００５】
特許文献３には、カーナビゲーション装置やＧＰＳ（Global Positioning System）機能付きの携帯電話、デジタルカメラにそれぞれ無線Ｉ／Ｆを設け、無線Ｉ／Ｆを介して、カーナビゲーション装置や携帯電話で得られた位置データと、デジタルカメラで得られた画像データとを通信する情報処理システムが記載されている。一実施形態として、デジタルカメラでレリーズボタンを押下して撮影を行ったときに、無線Ｉ／Ｆを介して携帯電話に位置データを要求する信号を送信し、要求信号に応じて携帯電話から送信された位置データを受信して、撮影により得られた画像データに関連付けて記憶する態様が例示されている。
【０００６】
特許文献４は、Bluetoothなどに代表される近距離無線通信を用いて、デジタルカメラで得られた画像データをＧＰＳ機能付きの携帯電話に送信する画像記憶システムを提案している。携帯電話で得られた位置データと画像データとを関連付けて、携帯電話からインターネット上のデータベースに送信している。
【特許文献１】特開２００１−２１１３６４号公報
【特許文献２】特開２００１−２３８２４７号公報
【特許文献３】特開２００１−３５８９７８号公報
【特許文献４】特開２００２−３６６５６５号公報
【発明の開示】
【発明が解決しようとする課題】
【０００７】
情報機器間で情報を通信する場合、究極的には、情報を通信している間だけ通信が確立されていればよい。しかしながら、特許文献１〜４に記載の発明は、情報を与える側の情報機器は、情報を受け取る側の情報機器からの情報を要求する信号を常に検出する必要がある。つまり、情報の通信に関わる回路を常時待ち受け状態にしておかなければならない。このため、待ち受けに掛かる電力消費が嵩み、情報機器のランニングコストの増大を招くという問題があった。特に、情報の通信を頻繁に行わないシステムにおいては、待ち受けに掛かる電力消費は無視できない問題である。
【０００８】
この問題を解決する方法として、情報を通信する機能を起動・停止する操作をユーザーに行わせることが考えられるが、ユーザーに煩雑な操作を強いることになり、使い勝手が悪くなるという新たな問題が生じる。
【０００９】
本発明は、上記課題を鑑みてなされたものであり、操作性を悪化させることなく、情報の通信に掛かる電力消費を最小限に抑えることができる情報通信システム、および情報通信方法を提供することを目的とする。
【課題を解決するための手段】
【００１０】
上記目的を達成するために、請求項１に記載の発明は、複数の情報機器間で情報を通信する情報通信システムであって、前記情報機器は、前記情報を通信する第一通信手段と、常時、または間欠的に通信が確立されており、前記情報の取得を指示する操作に応じて、前記第一通信手段を起動して通信を確立するためのイネーブル信号を通信する第二通信手段とを有し、前記第一通信手段は、前記情報の通信後、通信を切断して動作を停止することを特徴とする。
【００１１】
前記情報機器は、前記第一通信手段の通信が確立されてからの第一経過時間を計時する第一計時手段を有し、前記第一通信手段は、前記第一経過時間が予め設定された第一閾値を超えた場合、通信を切断して動作を停止することが好ましい。
【００１２】
前記イネーブル信号は無線信号であり、前記第二通信手段は、前記無線信号を通信する無線通信手段からなることが好ましい。この場合、前記情報機器は、前記第二通信手段を介して移動体通信網に接続されていることが好ましい。また、前記情報機器は、前記第二通信手段を介して無線ＬＡＮネットワークに接続されていることが好ましい。
【００１３】
前記イネーブル信号は音声信号であり、前記第二通信手段は、前記音声信号を出力する音声出力手段、および前記音声信号を収録する音声収録手段からなることが好ましい。
【００１４】
あるいは、前記イネーブル信号はＯＦＤＭ変調されたデータが重畳された音声信号であり、前記第二通信手段は、前記データを前記ＯＦＤＭ変調して前記音声信号に重畳する変調手段、前記音声信号を出力する音声出力手段、前記音声信号を収録する音声収録手段、および前記音声信号から前記データを復調する復調手段からなることが好ましい。
【００１５】
上記の場合、前記音声収録手段は間欠的に動作しており、前記音声出力手段は、少なくとも前記音声収録手段が動作を停止している期間よりも長い期間、前記音声信号を出力することが好ましい。
【００１６】
前記情報機器は、前記情報として現在の位置データを取得する位置データ取得手段を有することが好ましい。この場合、前記位置データ取得手段は、前記イネーブル信号の通信を契機に起動されることが好ましい。また、前記位置データ取得手段は、前記位置データの取得後、動作を停止することが好ましい。
【００１７】
前記情報機器は、前記情報として画像データを取得する画像データ取得手段を有することが好ましい。この場合、前記画像データ取得手段のシャッタレリーズに伴う操作を、前記イネーブル信号の通信の契機とすることが好ましい。また、前記画像データ取得手段のシャッタレリーズに伴う操作音を、前記イネーブル信号として用いることが好ましい。
【００１８】
前記情報として現在の位置データを取得する位置データ取得手段を有する第一の情報機器と、前記情報として画像データを取得する画像データ取得手段を有する第二の情報機器とを備え、前記第二の情報機器は、前記第一通信手段を介して、前記第一の情報機器から位置データを取得し、画像データに位置データが関連付けて記憶される記憶手段を有することが好ましい。
【００１９】
上記の場合、前記第二の情報機器は、位置データが関連付けて記憶されていない当該画像データの位置データを、当該画像データ以外の画像データに関連付けて記憶された位置データを元に付加する位置データ付加手段を有することが好ましい。
【００２０】
前記位置データ付加手段は、当該画像データを取得した日時と前後する日時に取得された当該画像データ以外の画像データに関連付けて記憶された位置データを、当該画像データの位置データとして付加することが好ましい。
【００２１】
また、前記位置データ付加手段は、当該画像データを取得した日時と前後する日時に取得された当該画像データ以外の画像データに関連付けて記憶された位置データから算出した位置データを、当該画像データの位置データとして付加することが好ましい。
【００２２】
前記位置データ付加手段は、当該画像データを取得した際に、前記第二通信手段で前記イネーブル信号の通信を行っていない場合、前記付加を行わないことが好ましい。
【００２３】
前記位置データ付加手段は、当該画像データを取得した日時と、その日時と前後する日時に取得された当該画像データ以外の画像データの日時との差分が予め設定された第二閾値以上であった場合、前記付加を行わないことが好ましい。
【００２４】
前記位置データ付加手段は、当該画像データを取得した日時と前後する日時に取得された当該画像データ以外の画像データを取得した日付が、当該画像データを取得した日付と異なる場合、前記付加を行わないことが好ましい。
【００２５】
上記の場合、前記記憶手段には、前記位置データ付加手段で位置データを付加した旨を表す識別符号が、当該画像データに関連付けて記憶されることが好ましい。
【００２６】
前記第二の情報機器は、前記位置データを取得してからの第二経過時間を計時する第二計時手段を有し、前記第二通信手段は、前記第二経過時間が予め設定された第三閾値以下であった場合、前記イネーブル信号の通信を行わないことが好ましい。
【００２７】
前記画像データ取得手段は、連写撮影を行う機能を有し、前記第二通信手段は、前記連写撮影の一枚目のみ前記イネーブル信号の通信を行い、二枚目以降は行わないことが好ましい。
【００２８】
請求項２５に記載の発明は、複数の情報機器間で情報を通信する情報通信方法であって、前記情報の取得を指示する操作に応じて、常時、または間欠的に通信が確立された第二通信手段を用いて、第一通信手段を起動して通信を確立するためのイネーブル信号を通信するイネーブル信号通信ステップと、前記第一通信手段を用いて前記情報を通信する情報通信ステップと、前記情報の通信後、前記第一通信手段の通信を切断して動作を停止する通信切断ステップとを備えることを特徴とする。
【発明の効果】
【００２９】
本発明の情報通信システム、および情報通信方法によれば、情報を通信する第一通信手段の通信を確立するためのイネーブル信号を、常時、または間欠的に通信が確立された第二通信手段で通信し、所定時間経過後、第一通信手段の動作を停止して通信を切断するので、操作性を悪化させることなく、情報の通信に掛かる電力消費を最小限に抑えることができる。
【発明を実施するための最良の形態】
【００３０】
図１において、本発明の第一の実施形態に係る情報通信システム２は、情報機器としてのデジタルカメラ１０と携帯電話１１とを備える。情報通信システム２では、位置データを取得する機能をもたないデジタルカメラ１０に、ＧＰＳ機能付きの携帯電話１１で得られた位置データ（経緯度、高度などの数値データ）を無線送信する。そして、デジタルカメラ１０で撮影して得られた画像データに位置データを関連付けて記憶する。
【００３１】
デジタルカメラ１０と携帯電話１１は、例えば、Bluetooth（ＩＥＥＥ８０２．１５．１）などの近距離無線通信技術を用いて、電波（以下、近距離無線用電波という）１２により位置データの通信を行う。デジタルカメラ１０は、無線ＬＡＮ通信機能を備え、電波（以下、無線ＬＡＮ用電波という）１３を介して、無線ＬＡＮネットワーク１４と接続している。なお、無線ＬＡＮは、例えば、ＩＥＥＥ８０２．１１シリーズに準拠した公衆無線ＬＡＮが用いられており、街頭に設置されたアクセスポイントによって、無線ＬＡＮネットワーク１４との接続が媒介される。
【００３２】
携帯電話１１は、基地局（図示せず）との間で電波（以下、回線接続用電波という）１５を無線通信し、移動体通信網１６と接続している。また、携帯電話１１は、ＧＰＳ衛星１７と電波（以下、ＧＰＳ用電波という）１８を通信することにより、位置データを取得する。なお、位置データを取得する方法としては、ＧＰＳに限らず、基地局を利用したＰＨＳに代表される位置データサービスを用いてもよい。
【００３３】
無線ＬＡＮネットワーク１４と移動体通信網１６との間には、ゲートウェイ１９が設けられている。ゲートウェイ１９は、無線ＬＡＮネットワーク１４と移動体通信網１６とのプロトコル変換を行い、無線ＬＡＮネットワーク１４と移動体通信網１６間のデータ通信を中継する。
【００３４】
デジタルカメラ１０は、無線ＬＡＮ用電波１３を用いて、デジタルカメラ１０と携帯電話１１の近距離無線通信を確立するためのイネーブル信号を通信する。デジタルカメラ１０から発せられたイネーブル信号は、無線ＬＡＮネットワーク１４を介してゲートウェイ１９に送信され、ゲートウェイ１９でプロトコル変換された後、移動体通信網１６を経て、回線接続用電波１５として携帯電話１１で受信される。
【００３５】
デジタルカメラ１０の電気的構成を示す図２において、ＣＰＵ３０は、バス３１を介して各部に接続され、デジタルカメラ１０全体の動作を統括的に制御する。ＲＯＭ３２には、デジタルカメラ１０を動作させるための各種プログラムやデータが記憶されている。ＣＰＵ３０は、これらのプログラムやデータをＲＯＭ３２から作業用メモリであるＲＡＭ３３に読み出して展開し、読み出したプログラムを逐次処理する。
【００３６】
ＣＰＵ３０には、操作部３４が接続されている。操作部３４は、撮影を実行させるためのレリーズボタンや、シャッタスピード、絞り値、ズーム倍率、位置データの取得有無などを設定するための各種設定ボタンで構成される。ＣＰＵ３０は、操作部３４からの操作入力信号を受けて、これに応じた動作を各部に実行させる。
【００３７】
撮像部３５は、周知の撮像光学系やＣＣＤなどの撮像素子、相関二重サンプリング回路、増幅器、およびＡ／Ｄ変換器からなるアナログ信号処理回路などを備える。撮像部３５は、撮像光学系で被写体像を取り込んで、ＣＣＤで被写体像を光電変換して撮像信号を出力する。そして、アナログ信号処理回路で、撮像信号に対して相関二重サンプリング、増幅、Ａ／Ｄ変換の各種アナログ信号処理を施し、デジタルの画像データを出力する。撮像部３５から出力された画像データは、画像メモリ３６に一旦格納される。
【００３８】
画像信号処理回路３７は、画像メモリ３６から画像データを読み出して、階調変換、ホワイトバランス補正、γ補正処理などの各種画像信号処理を施した後、画像データを再度画像メモリ３６に格納する。画像メモリ３６に格納された画像データは、ＹＣ変換処理回路（図示せず）に読み出され、ＹＣ変換処理回路にて、輝度信号Ｙと色差信号Ｃｒ、Ｃｂとに変換される。
【００３９】
圧縮・伸張処理回路３８は、ＹＣ変換された画像データに対して、所定の圧縮形式（例えばＪＰＥＧ形式）で画像圧縮を施す。圧縮された画像データは、メディアコントローラ３９を経由してメモリカード４０に記録される。また、メモリカード４０に記録された画像データは、メディアコントローラ３９を経て画像メモリ３６に一旦格納され、圧縮・伸張処理回路３８に読み出されて、圧縮される前の画像データに伸張される。
【００４０】
スピーカー４１は、レリーズボタンを押下した際のシャッタレリーズ音などの各種操作音を出力する。各種操作音のデータは、ＲＯＭ３２に記憶されており、ＣＰＵ３０は、このデータをＲＯＭ３２から読み出して、音声信号処理回路４３に出力する。マイクロホン４２は、動画撮影時に周囲の音声を収録する。
【００４１】
スピーカー４１、およびマイクロホン４２には、音声信号処理回路４３が接続されている。音声信号処理回路４３は、ＣＰＵ３０から出力された各種操作音のデータをＤ／Ａ変換してスピーカー４１に出力するとともに、マイクロホン４２で収録された音声をＡ／Ｄ変換してデジタルの音声信号とし、ＣＰＵ３０に出力する。ＣＰＵ３０に出力された音声信号は、動画撮影で得られた画像データとともにメモリカード４０に記録される。
【００４２】
ＬＣＤ４４は、ＬＣＤドライバ４５の制御の下に、画像信号処理回路３７、ＹＣ変換処理回路を経た画像データをスルー画像として表示するとともに、圧縮・伸張処理回路３８で伸張された画像データを再生表示する。
【００４３】
近距離無線用通信回路４６、および無線ＬＡＮ用通信回路４７は、近距離無線用電波１２、および無線ＬＡＮ用電波１３による通信を実現するためのものであり、変・復調回路、増幅器、帯域通過濾波回路（バンドパスフィルタ）などの周知の無線通信回路で構成される。各通信回路４６、４７には、近距離無線用電波１２、および無線ＬＡＮ用電波１３を通信するための近距離無線用アンテナ４８、および無線ＬＡＮ用アンテナ４９が接続されている。
【００４４】
近距離無線用通信回路４６は、普段は動作を停止しており、操作部３４のレリーズボタンが押下されて撮影が実行され、イネーブル信号が送信された後に起動する。但し、操作部３４で位置データの取得が設定されていない場合は、レリーズボタンが押下されても起動しない。
【００４５】
近距離無線用通信回路４６は、起動後、携帯電話１１と通信するための通信要求信号を出力する。また、近距離無線用通信回路４６は、携帯電話１１との通信が確立された後、位置データを要求する位置データ要求信号を出力する。
【００４６】
近距離無線用通信回路４６は、携帯電話１１との通信が確立されてから所定時間（第一閾値に相当）経過後、携帯電話１１との通信を切断するための通信切断信号を出力する。近距離無線用通信回路４６は、携帯電話１１との通信を切断した後、動作を停止する。通信切断信号を出力する契機となる所定時間は、通信の確立後、携帯電話１１に位置データ要求信号を送信して、携帯電話１１から位置データを受信するのに十分な時間が設定されている。携帯電話１１との通信が確立されてからの経過時間（第一経過時間に相当）は、ＣＰＵ３０の内蔵クロック回路３０ａの出力を元に計時される（専用のタイマーを設けても可）。
【００４７】
近距離無線用通信回路４６は、携帯電話１１から受信した近距離無線用電波１２を元の位置データに復調し、復調した位置データをＣＰＵ３０に出力する。ＣＰＵ３０に出力された位置データは、メディアコントローラ３９の制御の下に、画像データに関連付けてメモリカード４０に記録される。
【００４８】
無線ＬＡＮ用通信回路４７は、通常は低消費電力モードで動作しており、レリーズボタンが押下されて撮影が実行されたときに、無線ＬＡＮ用電波１３の受信待ち受け状態となる。無線ＬＡＮ用通信回路４７は、無線ＬＡＮ用電波１３を受信して無線ＬＡＮネットワーク１４との通信が確立された後、イネーブル信号を出力する。イネーブル信号には、携帯電話１１の近距離無線用通信回路６９、およびＧＰＳ用通信回路７１を起動するための制御コマンドや、近距離無線通信を確立する携帯電話１１を特定するための情報（携帯電話１１の電話番号など）が含まれている。無線ＬＡＮ用通信回路４７は、イネーブル信号を出力した後、再び低消費電力モードに戻る。
【００４９】
携帯電話１１の電気的構成を示す図３において、ＣＰＵ６０は、携帯電話１１全体の動作を統括的に制御する。ＲＯＭ６１には、携帯電話１１を動作させるための各種プログラムやデータが記憶されている。ＣＰＵ６０は、これらのプログラムやデータをＲＯＭ６１から作業用メモリであるＲＡＭ６２に読み出して展開し、読み出したプログラムを逐次処理する。
【００５０】
ＣＰＵ６０には、操作部６３が接続されている。操作部６３は、通話ボタンや電源／通話停止ボタン、ダイヤルキー、十字キーなどから構成される。ＣＰＵ６０は、操作部６３からの操作入力信号を受けて、これに応じた動作を各部に実行させる。
【００５１】
スピーカー６４は、通話時の音声を出力する。マイクロホン６５は、通話時の音声を収録する。スピーカー６４、およびマイクロホン６５には、音声信号処理回路６６が接続されている。音声信号処理回路６６は、回線接続用通信回路７０で復調され、ＣＰＵ６０から出力されたデジタルの音声信号をＤ／Ａ変換してスピーカー６４に出力するとともに、マイクロホン６５で収録された音声をＡ／Ｄ変換してデジタルの音声信号とし、ＣＰＵ６０に出力する。ＬＣＤ６７は、ＬＣＤドライバ６８の制御の下に、各種操作画面や設定画面を表示する。
【００５２】
近距離無線用通信回路６９、回線接続用通信回路７０、およびＧＰＳ用通信回路７１は、近距離無線用電波１２、回線接続用電波１５、およびＧＰＳ用電波１８による通信を実現するためのものであり、近距離無線用通信回路４６、および無線ＬＡＮ用通信回路４７と同様に、周知の無線通信回路で構成される。各通信回路６９〜７１には、近距離無線用電波１２、回線接続用電波１５、およびＧＰＳ用電波１８を通信するための近距離無線用アンテナ７２、回線接続用アンテナ７３、およびＧＰＳ用アンテナ７４が接続されている。
【００５３】
近距離無線用通信回路６９は、近距離無線用通信回路４６と同様に、普段は動作を停止しており、デジタルカメラ１０からのイネーブル信号を受信したときに起動する。近距離無線用通信回路６９は、デジタルカメラ１０からの通信要求信号を受けて、デジタルカメラ１０との通信を許可する通信許可信号を出力する。また、近距離無線用通信回路６９は、デジタルカメラ１０からの通信切断信号を受信したとき、デジタルカメラ１０との通信を切断し、動作を停止する。
【００５４】
近距離無線用通信回路６９は、測位回路７５で検出され、ＣＰＵ６０に出力された位置データを近距離無線用電波１２に変調し、近距離無線用アンテナ７２に出力する。
【００５５】
回線接続用通信回路７０は、常時動作しており、基地局との回線接続用電波１５の通信を行っている。回線接続用通信回路７０は、他の電話との通話を要求する通話要求信号、および音声信号処理回路６６からの音声信号などを回線接続用電波１５に変調するとともに、基地局から受信した回線接続用電波１５を元の通話要求信号、音声信号、およびイネーブル信号に復調し、復調したこれらの信号をＣＰＵ６０に出力する。
【００５６】
ＧＰＳ用通信回路７１には、測位回路７５が接続されている。ＧＰＳ用通信回路７１、および測位回路７５は、近距離無線用通信回路４６、６９と同様に、普段は動作を停止しており、デジタルカメラ１０からのイネーブル信号を受信したときに起動する。測位回路７５は、ＧＰＳ用電波１８に基づいて、携帯電話１１の現在位置を表す経緯度（および高度）を測位し、測位した結果、すなわち位置データをＣＰＵ６０に出力する。ＧＰＳ用通信回路７１、および測位回路７５は、位置データを取得した後、動作を停止する。
【００５７】
次に、上記構成を有する情報通信システム２の動作について、図４のフローチャートを参照して説明する。なお、ここでは、既にデジタルカメラ１０および携帯電話１１の電源が投入され、デジタルカメラ１０が無線ＬＡＮ用電波１３、携帯電話１１が回線接続用電波１５のそれぞれの受信範囲内にあり、且つデジタルカメラ１０および携帯電話１１が近距離無線用電波１２の通信範囲内にあることを前提として説明する。
【００５８】
まず、デジタルカメラ１０のレリーズボタンが押下されて撮影が実行されると、無線ＬＡＮ用通信回路４７が低消費電力モードから、無線ＬＡＮ用電波１３の受信待ち受け状態となる。無線ＬＡＮ用アンテナ４９で無線ＬＡＮ用電波１３が受信されると、デジタルカメラ１０と無線ＬＡＮネットワーク１４との通信が確立され、これにより相互間でデータの遣り取りが可能となる。
【００５９】
無線ＬＡＮネットワーク１４との通信が確立された後、無線ＬＡＮ用通信回路４７からイネーブル信号が出力され、無線ＬＡＮ用アンテナ４６を介して送信される。無線ＬＡＮ用アンテナ４６から送信されたイネーブル信号は、無線ＬＡＮネットワーク１４を経て、ゲートウェイ１９でプロトコル変換される。
【００６０】
ゲートウェイ１９でプロトコル変換されたイネーブル信号は、移動体通信網１６に受け渡される。そして、イネーブル信号で指定された電話番号の携帯電話１１と移動体通信網１６との間で回線交換方式によって通信が開始され、携帯電話１１にイネーブル信号が送信される。または、パケット通信方式を用いて、携帯電話１１へのページング（呼び出し）、およびイネーブル信号の送信が行われる。
【００６１】
回線接続用アンテナ７３を介してイネーブル信号が受信されると、携帯電話１１では、近距離無線用通信回路６９、ＧＰＳ用通信回路７１、および測位回路７５が起動される。そして、ＧＰＳ用通信回路７１、および測位回路７５により位置データが取得される。取得された位置データは、ＣＰＵ６０に出力される。位置データの取得後、ＧＰＳ用通信回路７１、および測位回路７５の動作が停止される。
【００６２】
一方、デジタルカメラ１０では、イネーブル信号の送信後、無線ＬＡＮ用通信回路４７が再び低消費電力モードに戻されて無線ＬＡＮネットワーク１４との通信が切断され、近距離無線用通信回路４６が起動される。そして、近距離無線用通信回路４６から通信要求信号が出力され、近距離無線用アンテナ４８を介して送信される。
【００６３】
携帯電話１１では、近距離無線用通信回路６９がイネーブル信号により起動されて通信要求信号の受信待ち受け状態となっている。近距離無線用アンテナ７２を介して通信要求信号が受信されると、通信要求信号を送信したデジタルカメラ１０がイネーブル信号を送信したものと同一であるか否かを照合する認証処理などが行われた後、近距離無線用通信回路６９から通信許可信号が出力され、近距離無線用アンテナ７２を介して送信される。
【００６４】
近距離無線用アンテナ４８を介して通信許可信号が受信されると、デジタルカメラ１０と携帯電話１１との通信が確立され、これにより相互間でデータの遣り取りが可能となる。また、このとき、クロック回路３０ａの出力を元に、通信が確立されてからの経過時間の計時が開始される。
【００６５】
携帯電話１１との通信が確立された後、近距離無線用通信回路４６から位置データ要求信号が出力され、近距離無線用アンテナ４８を介して送信される。近距離無線用アンテナ７２を介して位置データ要求信号が受信されると、ＣＰＵ６０の位置データが近距離無線用通信回路６９に出力され、近距離無線用アンテナ７２を介して送信される。
【００６６】
近距離無線用アンテナ４８を介して位置データが受信されると、デジタルカメラ１０では、メディアコントローラ３９の制御の下に、受信された位置データが撮影で得られた画像データに関連付けられてメモリカード４０に記録される。
【００６７】
携帯電話１１との通信が確立されてから所定時間経過後、近距離無線用通信回路４６から通信切断信号が出力され、近距離無線用アンテナ４８を介して送信される。通信切断信号の送信後、近距離無線用通信回路４６の動作が停止される。また、携帯電話１１では、近距離無線用アンテナ７２を介して通信切断信号が受信されると、近距離無線用通信回路６９の動作が停止される。これら一連の処理は、次回の撮影時も繰り返し実行される。
【００６８】
以上説明したように、無線ＬＡＮネットワーク１４および移動体通信網１６を介して、デジタルカメラ１０から携帯電話１１にイネーブル信号を送信し、位置データを取得する際だけに近距離無線用通信回路４６、６９、ＧＰＳ用通信回路７１、および測位回路７５を起動するので、ユーザーが煩雑な操作を行うことなく、位置データを自動的に取得することができる。そのうえ、これらの回路を常時動作させる場合と比べて、電力消費を抑えることができる。また、携帯電話１１と常時通信している移動体通信網１６を用いるので、既存の通信経路を有効活用することができる。
【００６９】
なお、デジタルカメラ１０が無線ＬＡＮ用電波１３、携帯電話１１が回線接続用電波１５のそれぞれの受信範囲内にあり、且つデジタルカメラ１０および携帯電話１１が近距離無線用電波１２の通信範囲内にあることを前提として説明したが、電波状況や各機器の動作状態によっては、必ずしもこのようにならない場合がある。つまり、無線ＬＡＮ用電波１３が受信されず、無線ＬＡＮネットワーク１４との通信が確立されない場合や、移動体通信網１６から携帯電話１１にイネーブル信号が送信されず、近距離無線用通信回路６９などが起動されない場合、デジタルカメラ１０からの通信要求信号が携帯電話１１で受信されず、デジタルカメラ１０と携帯電話１１との通信が確立されない場合などが考えられる。
【００７０】
これらの場合は、それぞれの処理の契機となる信号の送受信を所定回数試行し、それでも不調な場合は、近距離無線用通信回路４６、５９、ＧＰＳ用通信回路７１、および測位回路７５の動作を停止させる以外の処理を省略して、位置データの取得を諦める。
【００７１】
上記実施形態では、デジタルカメラ１０と携帯電話１１との近距離無線通信が確立されてから所定時間経過後、通信切断信号を通信して近距離無線用通信回路４６、６９の動作を停止させているが、位置データの取得後、直ちに通信切断信号を通信して、近距離無線用通信回路４６、６９の動作を停止させてもよい。また、デジタルカメラ１０または携帯電話１１の電源がオフされたときには、電源がオフされた側の機器から通信切断信号を送信して、近距離無線用通信回路４６、６９の動作を停止させる。さらに、デジタルカメラ１０のクロック回路３０ａではなく、携帯電話１１のＣＰＵ６０のクロック回路を用いて、経過時間を計時してもよい。
【００７２】
なお、無線ＬＡＮ用通信回路４７を常時無線ＬＡＮ用電波１３の受信待ち受け状態としてもよい。また、無線ＬＡＮ用通信回路４７の受信待ち受け状態への復帰と同時に、近距離無線用通信回路４６を起動させてもよい。さらに、デジタルカメラ１０と携帯電話１１の通信を確立した後に、位置データの取得を行ってもよい。要するに、本発明の主旨を逸脱しなければ、上記一連の処理の順序は如何様にも変更することが可能である。
【００７３】
図５において、本発明の第二の実施形態に係る情報通信システム８０は、デジタルカメラ８１と携帯電話８２とのイネーブル信号の遣り取りに、音声信号を用いる。すなわち、デジタルカメラ８１から特定の周波数特性を有する音声８３を一定音量で出力し、これを携帯電話８２で収録する。なお、デジタルカメラ８１、および携帯電話８２の構成は、デジタルカメラ８１に無線ＬＡＮ用通信回路４７、および無線ＬＡＮ用アンテナ４９が設けられていない他は、図２に示すデジタルカメラ１０、および図３に示す携帯電話１１の構成と同一であるので、以下の説明では、図２、図３で付した符号を流用する。
【００７４】
この場合、音声８３の周波数特性のデータをＲＯＭ３２、６１にそれぞれ予め記憶させておく。そして、図６のフローチャートに示すように、デジタルカメラ８１のレリーズボタンが押下されて撮影が実行された際に、ＲＯＭ３２に記憶された音声８３をＣＰＵ３０に読み出し、音声信号処理回路４３、およびスピーカー４１を介して出力する。この音声８３を携帯電話８２のマイクロホン６５で収録し、音声信号処理回路６６でデジタルの音声信号に変換して、ＣＰＵ６０に出力する。
【００７５】
次いで、音声信号がＲＯＭ６１に記憶された周波数特性の音声８３であるか否かをＣＰＵ６０で判定する。音声８３と判定した場合は、第一の実施形態と同様に、近距離無線用通信回路６９、ＧＰＳ用通信回路７１、および測位回路７５を起動して、以下の処理を行う。なお、近距離無線用通信回路６９、ＧＰＳ用通信回路７１、および測位回路７５を起動して、近距離無線通信を確立して位置データの通信を行っている間は、マイクロホン６５の動作を停止して音声８３の収録を行わない。位置データの通信が終了して、近距離無線通信が切断されたら、再びマイクロホン６５を起動させて音声８３の収録を再開する。
【００７６】
このように、デジタルカメラおよび携帯電話に標準装備されているスピーカー４１およびマイクロホン６５を用いてイネーブル信号の遣り取りを行うので、無線ＬＡＮネットワーク１４との通信に関わる部品を設ける必要があった第一の実施形態と比べて、部品コストを削減することができる。
【００７７】
本発明の第三の実施形態に係る情報通信システム９０（符号のみで図示せず）は、周知の音響ＯＦＤＭ（Orthogonal Frequency Division Multiplexing；直交周波数分割多重）技術を用いて、デジタルカメラ９１と携帯電話９２とのイネーブル信号の遣り取りに、イネーブル信号を表すテキストデータやビットデータを重畳した音声信号を用いる。この場合、図７および図８に示すように、デジタルカメラ９１と携帯電話９２にＯＦＤＭ回路９３、９４をそれぞれ設ける。なお、デジタルカメラ９１、および携帯電話９２の構成は、デジタルカメラ９１に無線ＬＡＮ用通信回路４７、および無線ＬＡＮ用アンテナ４９が設けられておらず、ＯＦＤＭ回路９３、９４が設けられている他は、図２に示すデジタルカメラ１０、および図３に示す携帯電話１１の構成と同一であるので、図２、図３で付した符号を流用して以下の説明を行う。
【００７８】
ＯＦＤＭ回路９３は、特定の周波数特性を有する音声（例えば、第二の実施形態の音声８３）の高周波成分をカットし、低周波成分のみを取り出す。そして、カットした高周波成分の帯域において、イネーブル信号を表すテキストデータやビットデータをＯＦＤＭ変調し、変調により生成された各サブキャリアの強度を、カットした高周波成分の強度と一致するように調整する。最後に、強度を調整したサブキャリアと、最初に取り出した低周波成分とを合成する。これにより、聞いただけでは普通の音声と変わらないが、イネーブル信号を表すテキストデータやビットデータが重畳された音声信号が生成される。
【００７９】
一方、ＯＦＤＭ回路９４は、ＯＦＤＭ回路９３とは逆の手順で、音声信号からイネーブル信号を表すテキストデータやビットデータを復調する。すなわち、音声信号の高周波成分のみを取り出し、高周波成分に重畳された各サブキャリアを調整前の強度に戻して分離し、分離したサブキャリアを元のテキストデータやビットデータにＯＦＤＭ復調する。なお、第三の実施形態では、ＯＦＤＭ回路９３、９４で各処理を行う他は、図６のフローチャートに示す第二の実施形態の処理手順と同様であるので、図示および説明は省略する。
【００８０】
第二、第三の実施形態では、図９に示すように、マイクロホン６５を常時動作させる必要はなく、一定の動作停止期間を置いて間欠的に動作させればよい。この場合、音声を出力している期間を、少なくとも動作停止期間よりも長く設定し、マイクロホン６５の動作期間で必ず音声が収録されるようにする。このようにすれば、マイクロホン６５の動作に掛かる電力消費が抑えられ、さらなる省電力化を促進することができる。
【００８１】
なお、音声としては、レリーズボタンを押下した際のシャッタレリーズ音を代用してもよい。あるいは、シャッタレリーズ音とは別の音声（例えば、ビープ音）を用意し、その音声を出力した後に正規のシャッタレリーズ音を出力してもよい。また、予め用意された音声ではなく、ユーザーが独自に設定した音声や、デジタルカメラで動画撮影した際に収録した音声を用いてもよい。このようにすれば、他のデジタルカメラとの差別化を図ることができ、近距離無線通信を確立する際の認証処理が容易になる。
【００８２】
第一〜第三の実施形態以外の態様としては、以下の態様が考えられる。すなわち、デジタルカメラ、および携帯電話の電源オンと同時に、近距離無線用通信回路４６、６９を起動させて近距離無線通信を確立し、近距離無線用通信回路４６、６９を待ち受け状態で動作させておく。そして、レリーズボタンが押下されて撮影が実行されたときに、位置データ要求信号を遣り取りし、ＧＰＳ用通信回路７１、および測位回路７５を起動させて位置データを取得させ、位置データの通信を行う。位置データの通信後は、再び近距離無線用通信回路４６、６９を待ち受け状態に移行させる。なお、レリーズボタンが半押しで焦点調整などの撮影準備処理を行い、全押しで撮影を実行する二段階押し式であった場合は、半押しで位置データ要求信号の遣り取り、全押しで位置データの通信を行うようにする。
【００８３】
ここで、前述の電波状況や各機器の動作状態に起因する通信障害や、スピーカー４１、もしくはマイクロホン６５が故障して音声を拾えないなど、何らかの理由によって、携帯電話からデジタルカメラに位置データを取得することができないおそれがある。この問題に対処するために、図１０に示すデジタルカメラ１００のように、位置データが関連付けて記憶されていない画像データ（以下、画像データＮと略す）の位置データを付加する位置データ付加回路１０１を設けてもよい。なお、デジタルカメラ１００は、位置データ付加回路１０１が設けられている他は、図２に示すデジタルカメラ１０の構成と同一であるので、同一の部品には同一の符号を付し、説明を省略する。
【００８４】
位置データ付加回路１０１は、画像データＮ以外の画像データ（以下、画像データＹと略す）に関連付けて記憶された位置データを元に、画像データＮに付加する位置データを生成する。なお、以下の説明では、位置データの他に、撮影日時、位置データを取得する設定の有無が画像データに関連付けて記録されているものとする。
【００８５】
この場合、例えば、図１１のフローチャートに示すように、まず、メモリカード４０に記録された画像データの中から画像データＮを検索する。そして、検索した画像データＮを撮影したときに、操作部３４で位置データを取得する設定がなされていたか否かを判定する。位置データを取得する設定がなされていなかった場合は、処理をリターンする。
【００８６】
位置データを取得する設定がなされていた場合は、画像データＮと撮影日時が前後する画像データＹをメモリカード４０から検索する。そして、検索した画像データＹの撮影日時と画像データＮの撮影日時との差分を求め、求めた差分と予め設定された閾値（第二閾値に相当）とを比較する。差分が閾値以上であった場合は、画像データＹとは別の場所で撮影した可能性が高いので、位置データを付加することができない旨のフラグを画像データＮと関連付けて記録し、処理をリターンする。
【００８７】
差分が閾値以下であった場合は、撮影日時が近いほうの画像データＹに関連付けられた位置データを、画像データＮの位置データとして付加する。このとき、画像データＹの位置データを付加した旨のフラグを画像データＮと関連付けて記録し、処理をリターンする。これら一連の処理は、メモリカード４０内に画像データＮが無くなるまで続けられる。なお、操作部３４を操作することにより、閾値をユーザーが設定することができるようにしてもよい。
【００８８】
あるいは、図１２のフローチャートに示すように、画像データＮと撮影日時が前後する画像データＹを検索した後、それらの位置データから画像データＮに付加する位置データを算出してもよい。
【００８９】
位置データの算出方法としては、例えば、撮影日時が前後する画像データＹの位置データの経緯度の座標を直線で結び、その直線の中間点の経緯度の座標を算出する。もしくは、撮影日時が前後する画像データＹ同士の撮影日時の差分ΔＴ１、および画像データＮと画像データＹの撮影日時の差分ΔＴ２を求め、ΔＴ１に対するΔＴ２の比率に基づいて、経緯度の座標を算出する。具体例としては、画像データＹの撮影日時が１２時と２２時、画像データＮの撮影日時が１６時であった場合、ΔＴ１＝１０、ΔＴ２＝４、６であるので、画像データＹの位置データの経緯度の座標を結んだ直線の４：６にあたる地点の経緯度の座標を算出する。なお、このとき、撮影日時が前後する画像データＹ同士の撮影日時や位置データの差分（位置データで表される地点の距離の長短）なども加味する。
【００９０】
撮影日時が前後する画像データＹの撮影日付と、画像データＮの撮影日付とが異なる場合は、画像データＹとは別の場所で撮影した可能性が高いので、位置データを付加することができない旨のフラグを画像データＮと関連付けて記録し、処理をリターンする。日付が同じであった場合は、算出した位置データを、画像データＮの位置データとして付加する。このように、位置データが関連付けられていない画像データに対しても、簡易的に位置データを付加することができ、デジタルカメラと携帯電話間の通信障害による影響を最小限に止めることができる。
【００９１】
また、一箇所で複数回続けて撮影する場合や、比較的近い場所を徒歩で移動しながら撮影を行う場合などは、一定期間は位置データが殆ど変わらない。このことを考慮して、図１３に示すフローチャートのような処理を行ってもよい。すなわち、位置データを取得してからの経過時間（第二経過時間に相当）を、例えば、クロック回路３０ａの出力を元に計時する（専用のタイマーを設けても可）。そして、所定時間（第三閾値に相当、例えば、３０分）経過するまでは、撮影が行われても位置データの取得は行わず、その間は、前回取得した位置データを記録する。また、位置データを取得した際には、近距離無線用通信回路４６の動作を停止させ、所定時間経過後、起動させる。この場合、デジタルカメラの電源をオフしたときも、経過時間の計時は続けられるように、クロック回路３０ａや専用のタイマーに電力を供給しておく。このようにすれば、撮影の都度位置データを取得する場合に比べて、電力消費をさらに抑えることができる。
【００９２】
さらに、デジタルカメラに連写撮影機能がある場合、連写撮影では、位置データが変わらないので、図１４のフローチャートに示すように、連写一枚目の撮影時のみ位置データを取得し、二枚目以降は位置データの取得は行わず、一枚目に取得した位置データを記録する。この場合も、図１３に示す例と同様に、省電力化の効果が得られる。
【００９３】
上記実施形態では、デジタルカメラと携帯電話との間で位置データを通信する例を挙げて説明したが、本発明はこれに限定されるものではなく、例えば、携帯電話に代えて、カーナビゲーション装置で得られた位置データをデジタルカメラに送信する態様や、上記実施形態とは逆に、デジタルカメラで得られた画像データを携帯電話に送信する態様など、様々な応用例に対して本発明を適用することが可能である。したがって、情報機器は上記実施形態で挙げたデジタルカメラ、携帯電話に限らず、通信する情報も画像データ、位置データに限定されない。また、通信の形態も第一〜第三の実施形態で挙げた例に限らず、本発明の主旨を逸脱しない範囲で、適宜変更することが可能である。
【図面の簡単な説明】
【００９４】
【図１】情報通信システムのハードウェア構成を示す概略図である。
【図２】デジタルカメラの電気的構成を示すブロック図である。
【図３】携帯電話の電気的構成を示すブロック図である。
【図４】情報通信システムの処理手順を示すフローチャートである。
【図５】イネーブル信号として音声信号を用いる場合の情報通信システムのハードウェア構成を示す概略図である。
【図６】図５に示す情報通信システムの処理手順を示すフローチャートである。
【図７】イネーブル信号としてＯＦＤＭ変調されたデータが重畳された音声信号を用いる場合のデジタルカメラの電気的構成を示すブロック図である。
【図８】イネーブル信号としてＯＦＤＭ変調されたデータが重畳された音声信号を用いる場合の携帯電話の電気的構成を示すブロック図である。
【図９】マイクロホンの動作期間と音声出力期間との関係を示す説明図である。
【図１０】位置データ付加回路を設けたデジタルカメラの電気的構成を示すブロック図である。
【図１１】図１０に示すデジタルカメラで位置データを付加する処理手順を示すフローチャートである。
【図１２】図１０に示すデジタルカメラで位置データを付加する別の処理手順を示すフローチャートである。
【図１３】所定時間経過するまでは位置データの取得を行わない例の処理手順を示すフローチャートである。
【図１４】連写撮影を行った場合の処理手順を示すフローチャートである。
【符号の説明】
【００９５】
２、８０、９０  情報通信システム
１０、８１、９１、１００  デジタルカメラ
１１、８２、９２  携帯電話
１２  近距離無線用電波
１３  無線ＬＡＮ用電波
１４  無線ＬＡＮネットワーク
１５  回線接続用電波
１６  移動体通信網
３０  ＣＰＵ
３０ａ  クロック回路
４１  スピーカー
４６  近距離無線用通信回路
４７  無線ＬＡＮ用通信回路
４８  近距離無線用アンテナ
４９  無線ＬＡＮ用アンテナ
６０  ＣＰＵ
６５  マイクロホン
６９  近距離無線用通信回路
７０  回線接続用通信回路
７１  ＧＰＳ用通信回路
７２  近距離無線用アンテナ
７３  回線接続用アンテナ
７４  ＧＰＳ用アンテナ
７５  測位回路
８３  音声
９３、９４  ＯＦＤＭ回路
１０１  位置データ付加回路
【図１】
2008252212.tif 000003
【図２】
2008252212.tif 000004
【図３】
2008252212.tif 000005
【図４】
2008252212.tif 000006
【図５】
2008252212.tif 000007
【図６】
2008252212.tif 000008
【図７】
2008252212.tif 000009
【図８】
2008252212.tif 000010
【図９】
2008252212.tif 000011
【図１０】
2008252212.tif 000012
【図１１】
2008252212.tif 000013
【図１２】
2008252212.tif 000014
【図１３】
2008252212.tif 000015
【図１４】
2008252212.tif 000016